(57)【要約】【課題】継続的な使用により、足の指の力が強化されると共に理想的な歩行や姿勢が形成され、次第に腰痛も改善されていく履物および履物用中敷を提供することにある。【解決手段】本発明の履物１は、足を載置する底部２のうち足の指が位置する部位３付近に、足の指を下方に向かって屈曲可能な深さに形成された凹部４が設けられている。使用者がこの凹部４内に足の指を屈曲させてその状態を維持することにより足の指の力が次第に強化されていく。これによって、土踏まずが反り上がった縦アーチも形成されていき、理想的な歩行が可能となる。さらに、足の指を下方に屈曲させることで、脚の裏側の筋が伸びて腰が入り背筋も伸びて理想的な姿勢が形成され、これらの複合的作用により、次第に腰痛が改善される。【選択図】図４
2008284067.tif 000002
【特許請求の範囲】
【請求項１】
足を載置する底部のうち足の指が位置する部位付近に、足の指を下方に向かって屈曲可能な深さに形成された凹部が設けられていることを特徴とする履物。
【請求項２】
前記底部は、使用者の中足骨と指骨との間の関節が位置する部位付近に、前記関節を下方より押し上げる凸部を有している請求項１に記載の履物。
【請求項３】
前記履物は、鼻緒を有している請求項１または２に記載の履物。
【請求項４】
履物の底部上面に配置する板状体であって、該板状体を履物内に配すると、足の指が位置する部位付近に、足の指を下方に向かって屈曲可能な深さに形成された凹部が構成されることを特徴とする履物用中敷。
【請求項５】
前記板状体は、使用者の中足骨と指骨との間の関節が位置する部位付近に、前記関節を下方より押し上げる凸部を有している請求項４に記載の履物用中敷。
【請求項６】
前記履物用中敷は、鼻緒を有している請求項４または５に記載の履物用中敷。
【発明の詳細な説明】
【技術分野】
【０００１】
本発明は、継続的な使用により理想的な歩行や姿勢が形成され次第に腰痛も改善されていく履物および履物用中敷に関する。
【背景技術】
【０００２】
従来より、履物の底部構造に工夫を凝らすことで使用者の腰痛を予防または改善するものが種々提案されている。例えば、そのようなものとして、腰痛などの足裏反射点の位置に補助パットを貼付し、靴を着用した時の押圧刺激により腰痛等を改善するもの（特開平１１−１４６８０２号）、低弾性の充填材により直接的な強い衝撃を緩和して膝痛、腰痛の発生を抑制するもの（特開２００４−２４８９４２号）、爪先部を踵部より高くすることで、前傾姿勢を解消して内臓の機能低下、腰痛等を改善するもの（特開２００５−１６０５６０号）などがある。
【０００３】
ところで、現代人はアスファルトの上を歩き平らな床で生活しているため、足の指が使われず指の力が弱く、土踏まずが反り上がった縦アーチが形成されない傾向にある。その結果、扁平足気味な足で指を使わず歩行するため、その衝撃で腰痛や膝痛が誘発されることが指摘されている。また、理想的な歩行は踵から着地した後、足の指で地面を蹴り上げるようにして前に移動するものであり、そのような歩行を実現するためにも足の指の力が重要と考えられている。さらに、足の指を下方に屈曲させることで、各指の力が強化されると共に、脚の裏側の筋が伸びて腰が入り背筋も伸びて理想的な姿勢が形成される。
【特許文献１】特開平１１−１４６８０２号公報
【特許文献２】特開２００４−２４８９４２号公報
【特許文献３】特開２００５−１６０５６０号公報
【発明の開示】
【発明が解決しようとする課題】
【０００４】
本願発明者は、上記の理由から、足の指の力を強化することに着目し本発明を想起したものであり、すなわち、本発明の課題は、継続的な使用により、足の指の力が強化されると共に理想的な歩行や姿勢が形成され、次第に腰痛も改善される履物および履物用中敷を提供することにある。
【課題を解決するための手段】
【０００５】
上記課題を解決するものは、足を載置する底部のうち足の指が位置する部位付近に、足の指を下方に向かって屈曲可能な深さに形成された凹部が設けられていることを特徴とする履物である。
【０００６】
前記底部は、使用者の中足骨と指骨との間の関節が位置する部位付近に、前記関節を下方より押し上げる凸部を有していることが好ましい。前記履物は、鼻緒を有していることが好ましい。前記底部の上面は、爪先側から踵側に向かって徐々に高くなるように形成されていることが好ましい。
【０００７】
また、上記課題を解決するものは、履物の底部上面に配置する板状体であって、該板状体を履物内に配すると、足の指が位置する部位付近に、足の指を下方に向かって屈曲可能な深さに形成された凹部が構成されることを特徴とする履物用中敷である。
【０００８】
前記板状体は、使用者の中足骨と指骨との間の関節が位置する部位付近に、前記関節を下方より押し上げる凸部を有していることが好ましい。履物用中敷は、鼻緒を有していることが好ましい。前記板状体の上面は、爪先側から踵側に向かって徐々に高くなるように形成されていることが好ましい。
【発明の効果】
【０００９】
請求項１または４に記載の発明によれば、継続的な使用により理想的な歩行や姿勢が形成され次第に腰痛も改善されていく。
請求項２または５に記載の発明によれば、中足骨と指骨との間の関節が凸部で下方より押し上げられることによって、特に意識することなく、自然に足の指が下方に屈曲した状態となり、常に縦アーチが形成された状態となって、上記請求項１または４の効果がより顕著なものとなる。
請求項３または６に記載の発明によれば、鼻緒を挟もうとすることで足の指が自然に下方に屈曲した状態となり、常に縦アーチが形成された状態となって、上記請求項１または４の効果がより顕著なものとなる。
【発明を実施するための最良の形態】
【００１０】
本発明では、足を載置する底部のうち足の指が位置する部位付近に、足の指を下方に向かって屈曲可能な深さに形成された凹部を設けられている。使用者がこの凹部内に足の指を屈曲させてその状態を維持することにより足の指の力が次第に強化されていく。これによって、土踏まずが反り上がった縦アーチも形成され、理想的な歩行が可能となる。さらに、足の指を下方に屈曲させることで、脚の裏側の筋が伸びて腰が入り背筋も伸びて理想的な姿勢が形成され、これらの複合的作用により、次第に腰痛が改善される。
【実施例１】
【００１１】
図１は本発明の履物の一実施例の平面図であり、図２は図１のＡ−Ａ線断面図であり、図３または図４は図１に示した履物の使用状態を説明するための説明図である。
【００１２】
この実施例の履物１は、足を載置する底部２のうち足の指が位置する部位３付近に、足の指を下方に向かって屈曲可能な深さに形成された凹部４が設けられていることを特徴とするものである。以下、各構成について順次詳述する。
【００１３】
この実施例の履物１はスリッパであるが、これに限定されるものではなく、履物であればどのようなものでもよく、例えば運動靴、革靴、ナースシューズなど広く靴一般、またはサンダルや草履などでもよい。
【００１４】
この履物１はスリッパであるため、底部２と底部２に取り付けられた甲当て５とから構成されている。そして、足を載置する底部２のうち足の指が位置する部位３付近には、図１または図２に示すように、凹部４が設けられている。この凹部４は、図３または図４に示すように、足の指を下方に向かって屈曲可能な深さに形成されており、スリッパ１を履いた後、図４中の矢印のように足の指を下方に曲げると、指を略直角に屈曲させても爪先が凹部４の底面４ａに若干当接するか、或いは丁度当接しない程度の深さを備えている。より具体的には、この凹部の深さは使用者の足の大きさにもよるが、１０ｍｍ以上あることが好ましい。
【００１５】
底部２の形成材料としては、公知の材料が使用できるが、例えばゴム材、合成樹脂、木材、紙材、発泡体などが好適に使用できる。また、この実施例の底部２は、底部を一枚の板状体で形成し、先端部に凹部４を形成した一体成形物で構成されているが、これに限定されるものではなく、複数の板状体の積層体から底部が構成され先端部を枚数低減することで凹部を構成したものも本発明の範疇に包含される。
【００１６】
このように、本発明の履物１は、足を載置する底部２のうち足の指が位置する部位３付近に、足の指を下方に向かって屈曲可能な深さに形成された凹部４を有しているので、使用者がこの凹部４内に、図４に示すように足の指を屈曲させてその状態を維持することにより足の指の力が次第に強化されていく。これによって、土踏まずが反り上がった縦アーチも形成されていき、理想的な歩行が可能となる。さらに、足の指を下方に屈曲させることで、脚の裏側の筋が伸びて腰が入り背筋も伸びて理想的な姿勢が形成され、これらの複合的作用により、次第に腰痛が改善されていく。
【００１７】
つぎに、図５ないし図８に示した本発明の履物の他の実施例について説明する。
この実施例の履物１０と前述した履物１との相違は、底部２が、使用者の中足骨と指骨との間の関節が位置する部位６付近に、当該関節を下方より押し上げる凸部１１を有している点のみであり他は同じである。履物１と同一構成部分については同一符号を付し説明を省略する。
【００１８】
人の足９０は、図１８に示すように、中足骨９１と指骨９２とを有し、これら中足骨９１と指骨９２との間に関節９３を有している。この関節９３は、指骨９２を上下に屈曲可能とするものであり、これら関節９３を下方より押し上げると、指骨９２が自然と下方に屈曲する。本願発明者は、このような足の構造に着目して、底部２のうち、足骨９１と指骨９２との間の関節９３が位置する部位６付近に、関節９３を下方より押し上げる凸部１１を設けた。これにより、使用者は、履物１０を着用するだけで、図７または図８に示すように、意識することなく自然に足の指（指骨９２）が下方に屈曲した状態となり、常に縦アーチが形成された状態となって、次第に腰痛が改善されていく。
【００１９】
具体的には、この実施例の凸部１１は、図５に示すように、平面視で幅が踵側に向かって徐々に小さくなるような略三角形に形成され、かつ、図６に示すように、爪先側に向かって厚く踵側に向かって徐々に薄くなるように形成されている。そして、最も厚くなる部位（高くなる部位）が使用者の中足骨９１と指骨９２との間の関節９３の下方に位置するように構成されている。この実施例では、図５または図６に示すように、凹部４との臨界部が最も高く形成されている。なお、踵側に向かって徐々に薄くなるように形成されているのは、着用時の抵抗感をよりなくすためである。また、この実施例の凸部１１は、底部２とは別部材で形成され底部２の上面２ａに接着剤にて接合されているが、底部と一体成形されているものも本発明の範疇に包含される。
【００２０】
さらに、図９ないし図１１に示した本発明の履物の他の実施例について説明する。
この実施例の履物２０と前述した履物１との相違は、履物２０が鼻緒２１を有している点のみであり他は同様である。履物１と同一構成部分については同一符号を付し説明を省略する。具体的には、鼻緒２１は、図９または図１０に示すように、甲当て５と凹部４とを連結した紐状体にて形成されており、図１１に示すように、この鼻緒２１を足の指（親指とその隣の指）で挟もうとすると、足の指が自然に下方に屈曲した状態となり、常に縦アーチが形成された状態となって、次第に腰痛が改善されていくように構成されている。
【００２１】
なお、この実施例の履物２０には、鼻緒２１と共に、底部２の上方を横断するように、かつ使用者の甲を覆うように、履物の長手方向に幅をもって形成された甲当て５が形成されている。この甲当て５により、足の指が外側に開くことが抑制されることに加え、鼻緒２１による作用が相乗的に機能して各指が内側に集まり、より下方に屈曲した状態を保持できるように構成されている。また、この実施例の鼻緒２１は、甲当て５と凹部４とを連結する形態で構成されているが、鼻緒として機能するものであればどのような形態で構成されていてもよく、例えば、凹部４または底部２のうち凹部４との臨界部付近に設けられ親指を挿入可能な略半円形状体などであってもよい。さらに、この実施例の鼻緒２１と前述した履物１０の凸部１１とを組み合わせたものなども本発明の範疇に包含される。
【００２２】
つぎに、発明の履物用中敷４０について、図１２または図１３に示した一実施例を用いて説明する。
履物用中敷４０は、履物の底部上面に配置する板状体４１を有し、板状体４１を履物内に配すると、足の指が位置する部位付近に、足の指を下方に向かって屈曲可能な深さに形成された凹部が構成されることを特徴とする履物用中敷である。
【００２３】
この履物用中敷４０は、最上層の板状体４１と、板状体４１の下層に設けられ中間層を構成する接着剤層４２と、接着剤層４２の下層に設けられ最下層を構成する剥離層４３とからなる。最上層の板状体４１は履物の底部上面に配置される部位であり、接着剤層４２は板状体４１を履物の底部上面に接着するための部位であり、剥離層４３は接着剤層４２を使用時まで被覆するための部位である。
【００２４】
履物用中敷４０は、スリッパ、運動靴や革靴などの靴一般、サンダルまたは草履などの底部上面に貼付して使用するものであり、板状体４１は例えばゴム材、合成樹脂、木材、紙材、発泡体などで形成することができる。接着剤層４２は履物の底部上面に接着して硬化し、着脱を相当回数繰り返しても板状体４１が履物の底部上面から剥がれない程度の接着強度を備えるものであればどのようなものでもよく、例えばエポキシ樹脂などが好適に使用できる。さらに、剥離層４３は、接着剤層４２を使用時まで硬化させることなく被覆可能であればどのようなものでもよく、例えば紙材、樹脂シートなどが好適に使用できる。
【００２５】
そして、履物用中敷４０は、剥離層４３を剥離して接着剤層４２を露呈させ、板状体４１を履物の底部上面に貼付すると、足を載置する履物の底部のうち足の指が位置する部位（図１２中２点鎖線と板状体４１の左端円弧で囲まれた部位）に凹部が構成される。この凹部は、足の指が位置する部位付近に形成されるものであり、足の指を下方に向かって屈曲可能な深さとなる。より具体的には、履物を着用した後、足の指を下方に曲げると、指を略直角に屈曲させても爪先が凹部の底面に若干当接するか、或いは丁度当接しない程度の深さの凹部が構成される。なお、履物の先端部位にそのような深さの凹部が構成されるためには、板状体４１の厚みは１０ｍｍ以上あることが好ましい。
【００２６】
このように、本発明の履物用中敷４０は、板状体４１を履物の底部上面に貼付すると、足を載置する履物の底部のうち足の指が位置する部位付近に、足の指を下方に向かって屈曲可能な深さに形成された凹部４が構成されるため、使用者がこの凹部内に、足の指を屈曲させてその状態を維持することにより足の指の力が次第に強化されていく。これによって、土踏まずが反り上がった縦アーチも形成されていき、理想的な歩行が可能となる。さらに、足の指を下方に屈曲させることで、脚の裏側の筋が伸びて腰が入り背筋も伸びて理想的な姿勢が形成され、これらの複合的作用により、次第に腰痛が改善される。
【００２７】
つぎに、図１４または図１５に示した本発明の履物用中敷の他の実施例について説明する。
この実施例の履物用中敷５０と前述した履物用中敷４０との相違は、板状体４１が、使用者の中足骨と指骨との間の関節が位置する部位５１付近に、関節を下方より押し上げる凸部５２を有している点のみであり他は同じである。履物用中敷４０と同一構成部分については同一符号を付し説明を省略する。
【００２８】
この実施例は、凸部５２が、使用者の中足骨と指骨との間の関節を下方より押し上げるため、指骨が自然と下方に屈曲する。これにより、使用者は、履物を着用するだけで、特に意識することなく自然に足の指が下方に屈曲した状態となり、常に縦アーチが形成された状態となって、次第に腰痛が改善されていく。
【００２９】
具体的には、この実施例の凸部５２は、図１４に示すように、平面視で幅が踵側に向かって徐々に小さくなるような略三角に形成され、かつ、図１５に示すように、爪先側に向かって厚く踵側に向かって徐々に薄くなるように形成されている。そして、最も厚くなる部位（高くなる部位）が使用者の中足骨と指骨との間の関節の下方に位置するように構成され、凹部との臨界部が最も高くなるように形成されている。なお、踵側に向かって徐々に薄くなるように形成されているのは、着用時の抵抗感をなくすためである。また、この実施例の凸部５２は、板状体４１に一体成形されているが、板状体４１とは別部材で形成され板状体４１の上面に接着剤にて接合されているものも本発明の範疇に包含される。
【００３０】
さらに、図１６または図１７に示した本発明の履物用中敷の他の実施例について説明する。
この実施例の履物用中敷６０と前述した履物用中敷４０との相違は、履物用中敷６０が鼻緒６１を有している点のみであり他は同様である。履物４０と同一構成部分については同一符号を付し説明を省略する。具体的には、鼻緒６１は、板状体４１の内側先端部付近に親指を挿入可能な正面視で略半円状の紐状体にて形成されており、この鼻緒６１に親指を挿入し、親指とその隣の指で挟もうとすると、足の指が自然に下方に屈曲した状態となり、常に縦アーチが形成された状態となって、次第に腰痛が改善されていくように構成されている。
【００３１】
なお、前述した履物または履物用中敷は、足裏を載置する底部の上面が同一高さの平面に形成されているが、底部の上面が、爪先側から踵側に向かって徐々に高くなるように形成されていてもよい。これによって、足の指を下方により屈曲させ易くすることができる。他方、逆に底部の上面が、爪先側から踵側に向かって徐々に低くなるように形成されたのも本発明の範疇に包含される。これによって、足の指を下方により屈曲させ難くはなるが、それに抗して足の指を下方に向かって屈曲させれば、より大きな縦アーチが形成されると共に、前傾姿勢が抑制され脚の裏側の筋が伸びて腰が入り背筋も伸びて理想的な姿勢が形成され、腰痛も改善される。
【図面の簡単な説明】
【００３２】
【図１】本発明の履物の一実施例の平面図である。
【図２】図１のＡ−Ａ線断面図である。
【図３】図１に示した履物の使用状態を説明するための説明図である。
【図４】図１に示した履物の使用状態を説明するための説明図である。
【図５】本発明の履物の他の実施例の平面図である。
【図６】図１のＢ−Ｂ線断面図である。
【図７】図５に示した履物の使用状態を説明するための説明図である。
【図８】図５に示した履物の使用状態を説明するための説明図である。
【図９】本発明の履物の他の実施例の平面図である。
【図１０】図９の側面図である。
【図１１】図９に示した履物の使用状態を説明するための説明図である。
【図１２】本発明の履物用中敷の一実施例の平面図である。
【図１３】図１２のＣ−Ｃ線断面図である。
【図１４】本発明の履物用中敷の他の実施例の平面図である。
【図１５】図１４のＤ−Ｄ線断面図である。
【図１６】本発明の履物用中敷の他の実施例の平面図である。
【図１７】図１６の正面図である。
【図１８】足の骨の構造図である。
【符号の説明】
【００３３】
１    履物
２    底部
３    足の指が位置する部位
４    凹部
５    甲当て
１１    凸部
【図１】
2008284067.tif 000003
【図２】
2008284067.tif 000004
【図３】
2008284067.tif 000005
【図４】
2008284067.tif 000006
【図５】
2008284067.tif 000007
【図６】
2008284067.tif 000008
【図７】
2008284067.tif 000009
【図８】
2008284067.tif 000010
【図９】
2008284067.tif 000011
【図１０】
2008284067.tif 000012
【図１１】
2008284067.tif 000013
【図１２】
2008284067.tif 000014
【図１３】
2008284067.tif 000015
【図１４】
2008284067.tif 000016
【図１５】
2008284067.tif 000017
【図１６】
2008284067.tif 000018
【図１７】
2008284067.tif 000019
【図１８】
2008284067.tif 000020